(57)【特許請求の範囲】
【請求項１】
除染液貯溜手段に貯溜された除染液の重量を計測する計量手段と、末端部が上記除染液貯溜手段に接続されるとともに先端部に下流側機器が接続される除染液供給通路と、この除染液供給通路の途中に設けられて除染液貯溜手段の除染液を下流側機器に供給する送液手段とを備え、上記計量手段により除染液の重量を計測することによって、所定重量の除染液を送液手段を介して下流側機器に供給するようにした除染液供給装置において、
上記送液手段よりも上記末端部側の除染液供給通路に気体を供給する気体供給通路を接続するとともに、該気体供給通路を開閉する開閉弁を設け、また上記計量手段からの信号を入力するとともに上記開閉弁の開閉を制御する制御手段を設け、この制御手段には、上記気体供給通路を除染液供給通路に接続した接続点と上記末端部との間の除染液供給通路に収容される除染液の収容重量を記憶させてあり、該制御手段は、上記下流側機器に除染液の供給を開始することにより、該除染液の重量が上記所定重量と収容重量との合計値分だけ小さくなったら、上記開閉弁を開いて除染液供給通路に気体を導入させて、上記接続点よりも下流側の除染液を下流側機器に供給するとともに、接続点よりも上流側の除染液を除染液貯溜手段に戻させることを特徴とする除染液供給装置。
【請求項２】
上記送液手段は、蠕動式ポンプであることを特徴とする請求項１に記載の除染液供給装置。
【発明の詳細な説明】
【技術分野】
【０００１】
本発明は除染液供給装置に関し、より詳しくは、例えば過酸化水素水などの除染液を、該過酸化水素水から滅菌ガスを生成させる滅菌ガス生成装置などに所定重量供給するための除染液供給装置に関する。
【背景技術】
【０００２】
従来、除染液貯溜手段に貯溜された除染液の重量を計測する計量手段と、末端部が上記除染液貯溜手段に接続されるとともに先端部に下流側機器が接続される除染液供給通路と、この除染液供給通路の途中に設けられて除染液貯溜手段の除染液を下流側機器に供給する送液手段とを備え、上記計量手段により除染液の重量を計測することによって、所定重量の除染液を送液手段を介して下流側機器に供給するようにした除染液供給装置が知られている（特許文献１）。
この除染液供給装置においては、所定重量の除染液を下流側機器に供給する際には、先ず送液手段と上記除染液貯溜手段に接続される除染液供給通路の末端部との間に残留している気体を排除して、該除染液供給通路を除染液で満たすエア抜き作業が必要となっていた。そして除染液供給通路を除染液で満たしたら、その状態で計量手段の数値をゼロにリセットし、次に除染液の重量を計測しながら送液手段によって除染液貯溜手段の除染液を下流側機器に供給するようにしていた。このように従来装置によれば、計量手段によって計測される除染液の減少重量から、下流側機器に供給される除染液の重量を計測することができるようになっている。
【先行技術文献】
【特許文献】
【０００３】
【特許文献１】特表平８−５０４６１２号公報
【発明の概要】
【発明が解決しようとする課題】
【０００４】
しかしながら従来装置においては、上述したように、除染液の供給に先立って送液手段と上記除染液貯溜手段に接続される除染液供給通路の末端部との間に残留している気体を排除するエア抜き作業が必要となっていたので、その作業が煩雑であった。また、そのためのエア抜き通路も必要となるので、構成も複雑なものとなっていた。
本発明はそのような事情に鑑み、エア抜き作業の必要性を無くして作業性を向上させることができるとともに、従来に比較して構成を簡素化することができる除染液供給装置を提供するものである。
【課題を解決するための手段】
【０００５】
すなわち請求項１の発明は、除染液貯溜手段に貯溜された除染液の重量を計測する計量手段と、末端部が上記除染液貯溜手段に接続されるとともに先端部に下流側機器が接続される除染液供給通路と、この除染液供給通路の途中に設けられて除染液貯溜手段の除染液を下流側機器に供給する送液手段とを備え、上記計量手段により除染液の重量を計測することによって、所定重量の除染液を送液手段を介して下流側機器に供給するようにした除染液供給装置において、
上記送液手段よりも上記末端部側の除染液供給通路に気体を供給する気体供給通路を接続するとともに、該気体供給通路を開閉する開閉弁を設け、また上記計量手段からの信号を入力するとともに上記開閉弁の開閉を制御する制御手段を設け、この制御手段には、上記気体供給通路を除染液供給通路に接続した接続点と上記末端部との間の除染液供給通路に収容される除染液の収容重量を記憶させてあり、該制御手段は、上記下流側機器に除染液の供給を開始することにより、該除染液の重量が上記所定重量と収容重量との合計値分だけ小さくなったら、上記開閉弁を開いて除染液供給通路に気体を導入させて、上記接続点よりも下流側の除染液を下流側機器に供給するとともに、接続点よりも上流側の除染液を除染液貯溜手段に戻させることを特徴とするものである。
また請求項２の発明は、上記送液手段を蠕動式ポンプとしたものである。
【発明の効果】
【０００６】
上記請求項１の発明によれば、上記制御手段は上記開閉弁を開放させた状態で、上記計量手段からの信号によりその際の除染液の重量を計測することができる。
この状態から上記開閉弁を閉じて送液手段を起動すれば、該送液手段により除染液貯溜手段に貯溜された除染液を下流側機器に供給することができる。そして除染液貯溜手段に貯溜された除染液を下流側機器に供給することに伴って、除染液の重量が上記所定重量と収容重量との合計値分だけ小さくなったら、制御手段は上記開閉弁を開いて除染液供給通路に気体を導入させるようになる。
この状態となれば、上記接続点よりも下流側の除染液が下流側機器に供給されるようになり、他方、接続点よりも上流側の除染液は除染液貯溜手段に戻されるようになる。
このように、接続点よりも上流側の除染液は除染液貯溜手段に戻されるようになり、かつこの戻される除染液の重量は上述した収容重量であるので、結局、下流側機器に供給される除染液の重量は、該下流側機器に供給すべき所定重量に一致する。
そしてこの状態では、上記開閉弁は開放された状態となっており、また制御手段は計量手段からの信号によってこの状態の除染液の重量を計測することができるので、この状態から開閉弁を閉じて送液手段を起動することにより、上述したのと同様にして下流側機器に所定重量の除染液を供給することができる。
したがって、本発明によれば、下流側機器に所定重量の除染液を供給するに際して、従来のようにエア抜き作業が不要となるので、従来に比較して作業性を向上させることができ、またエア抜き通路も不要なので、構成も簡素化することができる。
さらに請求項２の発明のように、送液手段を除染液通路を扱く蠕動式ポンプとすることにより、開閉弁を開放した後の接続点よりも下流側にある所定重量の除染液を、導入された気体ごと下流側機器へ確実に供給することができる。
【図面の簡単な説明】
【０００７】
【図１】本発明の一実施例を示す回路図。
【図２】下流側機器に除染液を供給する前の状態を示す説明図。
【図３】除染液の供給を開始した状態を示す説明図。
【図４】除染液の供給中の状態を示す説明図。
【図５】除染液の重量が所定重量と収容重量との合計値分だけ小さくなった状態を示す説明図。
【図６】開閉弁が開かれた状態を示す説明図。
【発明を実施するための形態】
【０００８】
以下図示実施例について本発明を説明すると、図１において、除染液としての35％過酸化水素水は、除染液貯溜手段としての容器１内に貯溜されており、この容器１は電子天秤などの計量手段２に載置されている。
この計量手段２は容器１及び除染液の重量を計測するようになっており、その信号は制御手段３に入力されるようになっている。
上記容器１内に貯溜された除染液は、従来公知の蠕動式ポンプやその他ピストンポンプなどの送液手段４により、除染液供給通路５を介して下流側機器６に供給されるようになっている。この下流側機器６は、例えば除染液が過酸化水素水の場合には、該過酸化水素水を蒸発させて滅菌ガスを生成させる滅菌ガス生成装置が用いられる。
容器１内の過酸化水素水は、徐々に下流側機器６としての滅菌ガス生成装置に供給されるようになっており、この滅菌ガス生成装置によって蒸発された過酸化水素ガスは、アイソレータなどの滅菌を必要とする機器の内部に滅菌ガスとして供給されるようになっている。
なお、滅菌ガス生成装置はその他の方式のもの、例えば、超音波によって過酸化水素水を噴霧してミスト状の滅菌ガスを生成するものであっても良い。
【０００９】
上記除染液供給通路５の末端部５ａは上記容器１に接続してある。より具体的には、上記末端部５ａは容器１の底部に近接した位置まで伸びており、該末端部５ａから容器１内に貯溜された除染液を吸引することができるようにしてある。他方、除染液供給通路５の先端部５ｂは、上記下流側機器６に接続してある。
上記送液手段４は除染液供給通路５の途中に設けてあり、該送液手段４よりも下流側となる除染液供給通路５に異物を除去するためのフィルタ１１を設け、さらに該フィルタ１１と送液手段４との間に、除染液供給通路５内の圧力を検出する圧力センサ１２を設けてある。この圧力センサ１２により上記フィルタ１１の目詰まりを監視することができ、或いは除染液供給通路５の折れ曲がりなどの異常を検出することができるようにしてある。
【００１０】
さらに上記送液手段４よりも上記末端部５ａ側の除染液供給通路５に、気体を供給する気体供給通路１３を接続するとともに、該気体供給通路１３を開閉する開閉弁１４を設けてある。
上記気体供給通路１３を接続した部分における除染液供給通路５は、後に詳述するように気体供給通路１３の接続点Ａより上流側となる除染液供給通路５内の除染液を容器１内に戻すために、鉛直下方若しくは斜め下方に傾斜させて配置することが望ましい。
上記制御手段３は、上述したように計量手段２からの信号を入力するとともに、上記圧力センサ１２からの信号を入力するようになっており、また送液手段４の駆動と開閉弁１４の開閉とを制御することができるようになっている。
そして上記制御手段３には、上記接続点Ａと上記末端部５ａとの間の除染液供給通路５に収容される除染液の収容重量Ｒを記憶させてある。
【００１１】
以上の構成において、下流側機器６に除染液を供給する直前の状態では、送液手段４は停止しており、また開閉弁１４は開かれている。
この状態では、図２に示すように、容器１内における除染液供給通路５内の除染液の液面高さは、容器１内の除染液の液面高さと一致している。
そして制御手段３は、計量手段２によって容器１と除染液との合計重量を計測しているが、下流側機器６に除染液を供給する直前の状態となった際には、その重量をリセットして該重量を０ｇに設定している。
なお本実施例では、下流側機器６に供給する所定重量Ｗが２００ｇ、上記収容重量Ｒが５ｇであるとして説明する。
【００１２】
下流側機器６に除染液を供給する際には、先ず制御手段３は開閉弁１４を閉じるとともに、送液手段４を起動する。これにより容器１内の除染液が除染液供給通路５に吸引されると、それに伴って計量手段２によって計測される重量が減少する（図３、図４参照）。
容器１内の除染液は、送液手段４の運転により除染液供給通路５及びフィルタ１１を介して下流側機器６に所要量ずつ供給され、下流側機器６としての滅菌ガス生成装置によって蒸発されるようになる。
【００１３】
制御手段３は、図５に示すように、計量手段２によって計測される重量が２０５ｇとなるまで減少したら、すなわち下流側機器６に供給する所定重量Ｗと収容重量Ｒとの合計値となるまで減少したことを検出したら、上記開閉弁１４を開いて除染液供給通路５に気体としての空気を導入させるようになる。
この状態となれば、図６に示すように、上記接続点Ａよりも下流側の除染液が送液手段４によって下流側機器６に供給される一方、接続点Ａよりも上流側の除染液は容器１内に戻されるようになる。そして接続点Ａよりも上流側の除染液が容器１内に戻されると、この戻される除染液の重量は上述した収容重量Ｒの５ｇであるので、下流側機器６に供給される除染液の重量は、該下流側機器６に供給すべき所定重量Ｗである２００ｇに一致する。
【００１４】
上記所定重量Ｗである２００ｇの除染液が下流側機器６に供給されると、制御手段３は送液手段４の運転を停止させるが、この状態では、上記開閉弁１４は開放された状態となっており、したがってこの状態は、上述した下流側機器６に除染液を供給する直前の状態と同一となる。
したがって、引き続いて上記所定重量Ｗである２００ｇの除染液を新たに下流側機器６に供給する場合には、制御手段３は、計量手段２によって計測している容器１と除染液との合計重量をリセットして該重量を０ｇに設定すれば、直ちに上述したのと同様にして、下流側機器６に所定重量Ｗの除染液を供給することができる。
他方、下流側機器６に除染液を供給することが完了した場合には、上記除染液供給通路５内の除染液は容器１内に戻されているので直ちに該容器１を取り外すことができる。或いは、容器１内の除染液の残量が所定重量Ｗに不足するようになった場合には、該容器１を除染液で満たされた新たな容器に交換することができる。
【符号の説明】
【００１５】
１  容器（除染液貯溜手段）      ２  計量手段
３  制御手段                    ４  送液手段
５  除染液供給通路              ５ａ  末端部
５ｂ  先端部                    ６  下流側機器
１３  気体供給通路              １４  開閉弁
Ｒ  収容重量                    Ｗ  所定重量
【図１】
0005533312.tif 000002
【図２】
0005533312.tif 000003
【図３】
0005533312.tif 000004
【図４】
0005533312.tif 000005
【図５】
0005533312.tif 000006
【図６】
0005533312.tif 000007